(57)【特許請求の範囲】
【請求項１】
Ｘ線管に供給する管電圧を生成する管電圧生成回路と、前記管電圧を降下させた際に前記管電圧生成回路内の電荷を放電する波尾遮断回路と、前記管電圧生成回路および前記波尾遮断回路を収容する筺体と、前記容器内に満たされた電気絶縁油とを有し、
前記筺体の一面には、内部空間が前記筺体内の空間と連通した伸縮性容器が連結され、該伸縮性容器には放熱ユニットが搭載され、
前記伸縮性容器の伸縮する方向に沿ってガイド部材が配置されていることを特徴とするＸ線高電圧発生装置。
【請求項２】
請求項１記載のＸ線高電圧発生装置において、前記伸縮性容器が所定量伸長したことを検出する検出部をさらに有することを特徴とするＸ線高電圧発生装置。
【請求項３】
請求項２に記載のＸ線高電圧発生装置において、前記検出部が、前記伸縮性容器が所定量伸長したことを検出した場合、前記波尾遮断回路の放電を停止させる制御部をさらに有することを特徴とするＸ線高電圧発生装置。
【請求項４】
請求項２に記載のＸ線高電圧発生装置において、前記検出部が、前記伸縮性容器が所定量伸長したことを検出した場合、前記管電圧生成回路にパルス状の管電圧の生成を停止させるとともに、前記波尾遮断回路の放電を停止させる制御部をさらに有することを特徴とするＸ線高電圧発生装置。
【請求項５】
請求項２に記載のＸ線高電圧発生装置において、前記検出部が、前記伸縮性容器が所定量伸長したことを検出した場合、前記波尾遮断回路の放電を停止させるとともに、操作者にパルス状の管電圧を用いる所定の撮像方法の受け付けができないことを報知する制御部をさらに有することを特徴とするＸ線高電圧発生装置。
【請求項６】
請求項２に記載のＸ線高電圧発生装置において、前記検出部は、前記伸縮性容器または前記放熱ユニットの一部で押し上げられる位置に備えられたスイッチであることを特徴とするＸ線高電圧発生装置。
【請求項７】
請求項６に記載のＸ線高電圧発生装置において、前記伸縮性容器または前記放熱ユニットの一部には、前記スイッチを押し上げるための突起が備えられていることを特徴とするＸ線高電圧発生装置。
【請求項８】
請求項１に記載のＸ線高電圧発生装置において、前記放熱ユニットは、底面板と、当該底面板上に所定の間隔をあけて並べて搭載された複数のフィンとを含み、
前記底面板の裏面は、前記伸縮性容器内の電気絶縁油に裏面が接するように前記伸縮性容器に固定されていることを特徴とするＸ線高電圧発生装置。
【請求項９】
被検体の周囲を回転するための回転円盤と、前記回転円盤に搭載された、Ｘ線管および高電圧発生装置とを有するＸ線ＣＴ装置であって、
前記高電圧発生装置は、Ｘ線管に供給する管電圧を生成する管電圧生成回路と、前記管電圧を降下させた際に前記管電圧生成回路内の電荷を放電する波尾遮断回路と、前記管電圧生成回路および前記波尾遮断回路を収容する筺体と、前記容器内に満たされた電気絶縁油とを含み、
前記筺体の一面には、内部空間が前記筺体内の空間と連通した伸縮性容器が連結され、該伸縮性容器には放熱ユニットが搭載され、
前記高電圧発生装置の伸縮性容器は、伸縮方向を前記回転円盤の遠心力の方向と直交する方向に向けて前記回転円盤に搭載されていることを特徴とするＸ線ＣＴ装置。
【請求項１０】
請求項９に記載のＸ線ＣＴ装置において、前記放熱ユニットは配列して配置された複数のフィンを有し、前記フィンの主平面方向は、前記回転円盤の回転の接線方向に沿うように配置されていることを特徴とするＸ線ＣＴ装置。
【請求項１１】
請求項９に記載のＸ線ＣＴ装置において、前記伸縮性容器の伸縮方向は、前記回転円盤の周方向と直交する方向に向けられていることを特徴とするＸ線ＣＴ装置。
【発明の詳細な説明】
【技術分野】
【０００１】
本発明は、Ｘ線透視撮影を行うＸ線装置やＸ線ＣＴ装置に電力を供給する高電圧発生装置に関する。
【背景技術】
【０００２】
Ｘ線高電圧装置では、血管内の血流を動画として撮影するシネ撮影や、血管でカテーテルを操作する時等に高画質なリアルタイム画像を得るためのパルス透視等において、高速なパルス状の管電圧が要求される。管電圧を高速に制御するため、交流高電圧出力を高電圧整流器で整流し、Ｘ線管に並列に接続したコンデンサや高電圧ケーブル等の浮遊静電容量で平滑化して、直流高電圧をＸ線管に印加する回路構成が用いられている。コンデンサ等に蓄えられた電荷は、高電圧整流器があるために電源側には流れることができず、電荷はＸ線管を経由して放電される。そのため、管電圧オフ時に、撮影には使用されないＸ線がＸ線管から放射され、被検体にとって無効被爆が生じるという問題があった。高速のパルス状の管電圧を供給する撮影方法においては、管電圧パルスの下降波形（以下、波尾と称する）のたびに、電荷放電による無効被爆が生じる。
【０００３】
そのため特許文献１では、コンデンサ等に蓄えられた電荷を放電させるための回路（波尾遮断回路）をＸ線管と並列に接続した構成を開示している。波尾遮断回路は、電荷を放電させるためのインピーダンスと、インピーダンスを波尾のタイミングでＸ線管と接続するスイッチとを備える。スイッチは、コンデンサに充電される高電圧に耐えるために、多数の半導体スイッチを直列に接続したものである。特許文献１では、半導体スイッチを多数の基板に数個ずつ搭載し、多数の基板を間隔を開けて積層しながら、基板同士を電気的に接続した高電圧スイッチが提案されている。
【０００４】
特許文献２では、波尾遮断回路をＸ線高電圧装置の他の回路とともに絶縁油が封入されたタンク内に配置した構成を開示している。波尾遮断回路のスイッチが搭載された多数の基板は、枠状の固定具に収容され、タンク内に多段に積み上げられている。これにより、波尾遮断回路を含めた高電圧発生装置全体として省スペース化している。波尾遮断回路の放電時の発熱により、電気絶縁油が加熱されるため、タンクの外側には放熱フィンが配置されている。
【先行技術文献】
【特許文献】
【０００５】
【特許文献１】特開２００１−２８４０９７号公報
【特許文献２】特開２００８−０９８０７２号公報
【発明の開示】
【発明が解決しようとする課題】
【０００６】
特許文献２に記載のように電気絶縁油を使用する高電圧発生装置は、波尾遮断回路等の温度上昇に伴い電気絶縁油が膨張する。放熱フィンによる自然空冷や強制空冷などで温度上昇を抑えられなかった場合には、高電圧発生装置のタンクの内部圧力が上昇し、容器の変形または電気絶縁油が漏れ出すという不具合が起こる。そこで、電気絶縁油の膨張に対応するために、膨張容積分だけ予めタンク内に空間を設けておく方法と、伸縮可能な蛇腹構造（ベローズ）を備えたタンクを使用することが考えられるが、前者は、タンク全体を大きく形成しておく必要があり、後者は蛇腹構造の伸長可能な空間をタンク外に確保する必要がある。
【０００７】
Ｘ線透視撮影を行うＸ線装置やＸ線ＣＴ装置等は、高電圧発生装置の搭載スペースが限られており、小型化が要求される。そのため、大がかりな冷却設備を配置しにくい。また、移動式Ｘ線装置やＸ線ＣＴ装置の高電圧発生装置は、被検体や操作者の近くに配置されるため、温度が高温になるのは望ましくない。
【０００８】
本発明の目的は、省スペース化が可能で、被検体の無効被爆を防止できる高電圧発生装置を提供することにある。
【課題を解決するための手段】
【０００９】
上記目的を達成するために本発明の第１の態様によれば、以下のようなＸ線高電圧発生装置が提供される。すなわち、Ｘ線管に供給する管電圧を生成する管電圧生成回路と、管電圧を降下させた際に管電圧生成回路内の電荷を放電する波尾遮断回路と、管電圧生成回路および波尾遮断回路を収容する筺体と、容器内に満たされた電気絶縁油とを有するＸ線高電圧発生装置であって、筺体の一面には、内部空間が筺体内の空間と連通した伸縮性容器が連結されている。伸縮性容器には放熱ユニットが搭載されている。
【００１０】
上記伸縮性容器が所定量伸長したことを検出する検出部をさらに有する構成にすることも可能である。検出部が、伸縮性容器が所定量伸長したことを検出した場合、制御部が波尾遮断回路の放電を停止させることが可能になる。もしくは、制御部は、管電圧生成回路にパルス状の管電圧の生成を停止させるとともに、波尾遮断回路の放電を停止させることもできる。もしくは、制御部は、波尾遮断回路の放電を停止させるとともに、操作者にパルス状の管電圧を用いる所定の撮像方法の受け付けができないことを報知することもできる。
【００１１】
上記検出部としては、伸縮性容器または前記放熱ユニットの一部で押し上げられる位置にスイッチを配置することができる。この場合、伸縮性容器または放熱ユニットの一部には、スイッチを押し上げるための突起を備えることが可能である。
【００１２】
また、伸縮性容器の伸縮する方向に沿ってガイド部材を配置することも可能である。
【００１３】
放熱ユニットとしては、底面板と、底面板上に所定の間隔をあけて並べて搭載された複数のフィンとを備えるものを用いことが可能であり、例えば、底面板の裏面は、伸縮性容器内の電気絶縁油に接するように伸縮性容器に固定する。
【００１４】
また、本発明の第２の態様によれば、以下のようなＸ線高電圧発生装置が提供される。すなわち、Ｘ線管に供給する管電圧を生成する管電圧生成回路と、管電圧を降下させた際に管電圧生成回路内の電荷を放電する波尾遮断回路と、管電圧生成回路および波尾遮断回路を収容する筺体と、容器内に満たされた電気絶縁油とを有するＸ線高電圧発生装置であって、筺体の一面には、内部空間が筺体内の空間と連通した伸縮性容器が連結されている。伸縮性容器は、金属製の蛇腹部を有し、蛇腹部は、放熱ユニットを兼用している。
【００１５】
また、本発明の第３の態様によれば、以下のようなＸ線ＣＴ装置が提供される。すなわち、被検体の周囲を回転するための回転円盤と、回転円盤に搭載された、Ｘ線管および高電圧発生装置とを有するＸ線ＣＴ装置であって、高電圧発生装置は、Ｘ線管に供給する管電圧を生成する管電圧生成回路と、管電圧を降下させた際に管電圧生成回路内の電荷を放電する波尾遮断回路と、管電圧生成回路および波尾遮断回路を収容する筺体と、容器内に満たされた電気絶縁油とを含む。筺体の一面には、内部空間が筺体内の空間と連通した伸縮性容器が連結されている。伸縮性容器には放熱ユニットが搭載されている。
【００１６】
高電圧発生装置の伸縮性容器は、伸縮方向を回転円盤の遠心力の方向と直交する方向に向けて回転円盤に搭載されていることが望ましい。
【００１７】
放熱ユニットは配列して配置された複数のフィンを有する構成とすることができる。この場合、フィンの主平面方向は、回転円盤の回転の接線方向に沿うように配置されていることが望ましい。
【００１８】
伸縮性容器の伸縮方向は、回転円盤の周方向と直交する方向に向けられた構成とすることも可能である。
【発明の効果】
【００１９】
本発明によれば、省スペース化が可能で、かつ、波尾遮断回路等による温度上昇を効率よく冷却でき、被検体の無効被爆を防止可能なＸ線高電圧発生装置を提供することができる。
【図面の簡単な説明】
【００２０】
【図１】第１の実施形態の高電圧発生装置を用いた電源の全体回路を示すブロック図。
【図２】図１の高電圧発生装置の回路図。
【図３】第１の実施形態の高電圧発生装置の切り欠き斜視図。
【図４】図３の高電圧発生装置の波尾遮断回路の実装状態を示す説明図。
【図５】図３の波尾遮断回路の基板の接続の向きを示す説明図。
【図６】第１の実施形態の高電圧発生装置の斜視図。
【図７】第２の実施形態の高電圧発生装置の斜視図。
【図８】第３の実施形態の高電圧発生装置の斜視図。
【図９】第４の実施形態のＸ線ＣＴ装置の回転円盤の正面図。
【図１０】第４の実施形態のＸ線ＣＴ装置の回転円盤の斜視図。
【図１１】第４の実施形態の高電圧発し装置の斜視図。
【発明を実施するための形態】
【００２１】
以下、本発明の実施形態について図を用いて説明する。
【００２２】
（第１の実施形態）
図１に本発明のＸ線撮影装置の電源装置１００の全体構成図を示す。電源装置１００は、商用電源１０５から直流電圧を発生する直流電源部１１０、直流電源部１１０の出力する直流電圧を高周波の交流電圧に変換するインバータ回路１２０、インバータ回路１２０の出力する交流電圧を昇圧・整流・平滑化して管電圧を生成する高電圧発生装置１、および、制御部１６０を備えている。高電圧発生装置１は、Ｘ線管７に接続され、Ｘ線管７に管電圧を供給する。制御部１６０は、Ｘ線撮影装置のコンソールの制御回路３００に接続されている。
【００２３】
高電圧発生装置１の回路構成を図２に、外観の切り欠き斜視図を図３に示す。図２のように、高電圧発生装置１は、インバータ回路１２０に接続される高電圧変圧器２および加熱変圧器３と、高電圧変圧器２で昇圧された高周波電圧を直流に変換するための高電圧整流回路４ａ，４ｂと、波尾遮断回路５０と、平滑化コンデンサ５１と、接続端子９ａ，９ｂとを備えている。接続端子９ａは、Ｘ線管７の陽極に接続され、接続端子９ｂは、Ｘ線管７の陰極に接続される。平滑化コンデンサ５１は、Ｘ線管７とそれぞれ並列になるように接続される。
【００２４】
高電圧変圧器２は、インバータ回路１２０に接続された一次巻線２ａと、高電圧整流回路４ａに接続される二次巻線２ｂとを含む。加熱変圧器３は、インバータ回路１２０に接続された一次巻線３ａと、接続端子９ｂに接続される二次巻線３ｂとを含む。
【００２５】
波尾遮断回路５０は、ＲＣ回路等のように電荷を放電するための高電圧放電回路５ａ，５ｂと、スイッチング回路６ａ，６ｂとを直列接続した回路である。スイッチング回路６ａ，６ｂは、図２では、それぞれ一つのスイッチ回路として省略して図示しているが、実際には、高電圧に対応するために、数十から数百の半導体スイッチング素子を直列に接続した構成である。波尾遮断回路５０は、Ｘ線管７と並列になるように、高電圧整流回路４ａ，４ｂと加熱変圧器３との間に接続されている。高電圧放電回路５ａ，５ｂおよびスイッチング回路６ａ，６ｂの負荷抵抗の合計は、Ｘ線管７の負荷抵抗よりも小さくなるように設計されている。
【００２６】
スイッチング回路６ａ，６ｂは、制御部１６０の制御信号により管電圧の立ち下がりに同期してオンに切り替えられる。これにより、平滑化コンデンサ５１および高電圧ケーブルの浮遊容量に蓄えられた電荷は、波尾遮断回路５０を流れ、高電圧放電回路５ａ，５ｂにおいて放電される。よって、管電圧の立ち下がり以降に、Ｘ線管７からＸ線が放射されて無効被爆を生じるのを防止することができる。また、電荷の流れが、Ｘ線管７の負荷抵抗よりも短い時定数の波尾遮断回路５０に瞬時に切り替わることにより、管電圧の立ち下がりを高速にすることができる。よって、本実施形態の電源装置を用いることにより、波尾の短い高速な管電圧を用いたパルス透視撮影を行うことが出来る。
【００２７】
図３のように、高電圧変圧器２、加熱変圧器３、高電圧整流回路（カソード側）４ａ、高電圧整流回路（アノード側）４ｂ、高電圧放電回路（カソード側）５ａ、高電圧放電回路（アノード側）５ｂ、高電圧スイッチ回路（カソード側）６ａ、高電圧スイッチ回路（アノード側）６ｂは、高電圧タンク８内に収容されている。タンク８の内部空間は電気絶縁油で満たされている。タンク８に収容されている回路は、周囲を電気絶縁油で満たされることにより、相互に絶縁されている。
【００２８】
高電圧スイッチ回路５ａ，５ｂは、上述したように半導体スイッチング素子を数十から数百個直列接続したものである。半導体スイッチング素子は、数十枚のスイッチ基板６ｃに数個ずつ間隔をあけて搭載されている。図４のように、数十枚のスイッチング基板６ｃはそれぞれ、枠状の固定具１０に収容されている。複数の固定具１０を積み重ねるように連結することにより、複数のスイッチング基板６ｃは、図５のように一定の間隔（絶縁距離１１）をあけて積層配置され、管電圧に対して電気的絶縁性が確保されている。また、隣合うスイッチング基板６ｃは、図５のように接続線１３により接続され、すべてのスイッチング基板６ｃ上の半導体スイッチング素子を直列に接続している。接続線１３による基板６ｃ同士の接続は、基板を上下交互に１８０°ずつ回転させて接続線が交差しないようにする。接続方法については、特許文献１、２等に記載された広く知られた技術であるので、ここでは詳細な説明を省略する。
【００２９】
また、固定具１０に３枚の仕切り板１０ａが備えられており、固定具１０を積み重ねたときに仕切り板１０ａ間に生じるスペース１２に、高電圧放電回路５ａ，５ｂが収納される。
【００３０】
このように波尾遮断回路５０を収納用固定具１０に収納したことにより、別々に回路を実装する必要がなくなり、作業工数を低減できる。
【００３１】
なお、図４、図５では、半導体スイッチング素子を搭載したスイッチング基板６ｃ、ならびに、高電圧放電回路５ａ，５ｂを模式的に直方体形状に図示しているが、実際には、スイッチング基板６ｃには、半導体スイッチング素子が露出されるように実装され、高電圧放電回路５ａ，５ｂは、抵抗線を露出した構成である。
【００３２】
高電圧タンク８内には、図３のように、最下段に固定具１０に収容された波尾遮断回路が配置され、中段手前側に高電圧整流回路（カソード側）４ａと高電圧整流回路（アノード側）４ｂが並べて配置されている。中段奥側には高電圧変圧器２が配置されている。上段手前には、接続端子（カソード側）９ａ、接続端子（アノード側）９ｂが並べて配置され、上段奥側には、加熱変圧器３が配置されている。このように、高電圧変圧器２の一次巻線などのアース電位に近い電気部品は奥側に配置し、手前側に行くに従って電位の高い部品を配置している。
【００３３】
また、高電圧スイッチ回路５ａ，５ｂについては積層された基板の最奥側をアース電位として接続し、一番手前側をアノードあるいはカソードの高電位部分として、接続端子９ａ、９ｂおよび高電圧整流回路４ａ、４ｂにそれぞれ接続している。これにより、上段および中段の高電圧発生回路および下段の波尾遮断回路５０の等電位部分が隣接する配置となるので、絶縁部品を追加する必要がない。
【００３４】
高電圧タンク８の内部空間全体は、電気絶縁油により満たされている。これにより、タンク８内に配置された回路同士を絶縁するとともに、回路を冷却している。
【００３５】
高電圧タンク８内に配置された回路で、動作中においてもっとも発熱する回路は、Ｘ線爆射中に鉄損や銅損が生じる高電圧変圧器２と、Ｘ線爆射終了時に放電する高電圧放電回路５ａ、５ｂが挙げられる。高電圧放電回路５ａ，５ｂが収容される固定具１０は、高電圧放電回路５ａ，５ｂを収容しても電気絶縁油が自然対流し易い構造となっている。これにより、電気絶縁油の自然対流により効率よく高電圧放電回路５ａ，５ｂを冷却することができる。高電圧変圧器２についても周囲を電気絶縁油に包まれているので、効率よく冷却することができる。
【００３６】
高電圧タンク８の側面の一つの面には矩形の開口が設けられ、図６のように開口形状が矩形の筒型ベローズ１５の一端が固定されている。ベローズ１５の他端には、開口を塞ぐようにヒートシンク１４が固定されている。ヒートシンク１４は、ベローズ１５の端部を塞ぐ底面板１４ａと、底面板１４ａ上に所定の間隔をあけて立設された複数のフィン１４ｂとを備えている。ベローズ１５とタンク８との接続部、ベローズ１５とヒートシンク１４との接続部は、電気絶縁油が漏れないように密閉状態を維持している。
【００３７】
このベローズ１５は、例えば、耐油性ゴム、あるいは、アルミなどの放熱性のよい金属で構成する。
【００３８】
高圧タンク８の側面には、ベローズ１５の角部近傍にガイド１８が立設されており、ベローズ１５の伸縮をガイドする。
【００３９】
ガイド１８には、所定の位置にマイクロスイッチ１６が固定されている。ヒートシンク１４のフィン１４ｂの側面には、マイクロスイッチ１６をガイド１８に沿って押し上げるための突起１７が取り付けられている。
【００４０】
高電圧タンク８内の回路の発熱により、電気絶縁油の温度が上昇すると、電気絶縁油が熱膨張係数に従って膨張する。膨張した電気絶縁油は、タンク８の側面の開口からベローズ１５の内部空間に入り、ベローズ１５をガイド１８に沿って押し出す。このように電気絶縁油の膨張に応じて、ベローズ１５が伸長することにより、電気絶縁油の体積変化を吸収することができ、タンク８に圧力が加わるのを防止できる。
【００４１】
ベローズ１５の端部開口には、ヒートシンク１４の底面板１４ａが取り付けられているため、電気絶縁油の熱は、底面板１４ａからフィン１４ｂに熱伝導し、フィン１４ｂから周囲の大気に放熱される。よって、電気絶縁油の熱をベローズの先端のヒートシンク１４から効率よく大気に放熱することができ、電気絶縁油は冷却される。
【００４２】
また、ベローズ１５にヒートシンク１４を搭載したことにより、高電圧タンク８の一つの面にベローズ１５とヒートシンク１４の両方を設置することができる。よって、高電圧タンク８の一つの面の脇にのみ空間を用意すればよく、ベローズ１５とヒートシンク１４とを別々の側面に配置する構成と比較して、周囲に必要なスペースの小さい、コンパクトな高電圧発生装置１を提供できる。
【００４３】
また、図６のようにガイド１８を配置したことにより、ベローズ１５をタンク８の側面に配置した場合であっても、ベローズ１５内の電気絶縁油の自重でベローズ１８が傾くのを防止することができる。
【００４４】
また、電気絶縁油の膨張時の容積によって、その時点の電気絶縁油の温度を求めることができる。本実施形態では、予め定めた電気絶縁油の許容最大温度に対応する電気絶縁油の容積および、その容積に対応するベローズ１５の伸び量を予め求め、その伸び量のときに、突起１７がマイクロスイッチ１６のレバーを押し上げる位置に、突起１７およびマイクロスイッチ１６を取り付けている。
【００４５】
マイクロスイッチ１６の出力信号は、制御部１６０に受け渡される。制御部１６０は、マイクロスイッチ１６を受け取ったならば、電気絶縁油の温度が許容最大温度に達したとして、所定の動作を行う。
【００４６】
すなわち、これ以上の電気絶縁油の温度上昇を防ぐために、制御部１６０は、波尾遮断回路５０の動作を停止させることができる。具体的には、制御部１６０はスイッチング回路６ａ，６ｂを所定時間オフにする。波尾遮断回路５０をオフにする間は、無効被爆を防止するために、高速なパルス状の管電圧が要求される、血管内の血流を動画として撮影するシネ撮影や、血管でカテーテルを操作する時等に高画質なリアルタイム画像を得るためのパルス透視等を行わないように制御する。例えば、制御部１６０は、インバータ１２０に対して、高速なパルス状の管電圧の出力させないように制御する。また、制御部１６０は、Ｘ線撮影装置のコンソールの制御回路３００に、高速なパルス状管電圧の必要な撮影方法は受け付けできないことを知らせる信号を出力する。コンソールは、その旨を表示装置に表示して操作者に報知するとともに、受け付け可能な撮影方法を制限する。
【００４７】
このように、第１の実施形態によれば、放熱の大きな波尾遮断回路を備えた高電圧発生装置の許容温度以上の温度上昇を防ぐことができ、かつ、コンパクトな装置を提供することができる。また、タンク８の変形や電気絶縁油が漏れだすという不具合を防止することができる。
【００４８】
本高電圧発生装置は、Ｘ線撮影装置、特に、移動式Ｘ線撮影装置のように小型で電源の冷却設備を確保しにくい装置に有用である。
【００４９】
なお、本高電圧発生装置は、ガイド１８にマイクロスイッチ１６をフィン１４ｂに突起１７を配置したが、これらの配置に限らず、ベローズ１５の伸長によりマイクロスイッチ１６がオンになる位置であればどのような配置であってもよい。
【００５０】
（第２の実施形態）
本発明の第２の実施形態の高電圧発生装置の斜視図を図７に示す。
【００５１】
図７の高電圧発生装置は、ベローズ１５を伸縮方向が側面に平行となるように設置している。タンク８の側面下部には開口（通油口）１９を設け、開口１９と連通するように容器２０を固定している。容器２０の上部開口にベローズ１５の下端が接続されている。ベローズ１５の上端開口はヒートシンク１４で塞がれている。
【００５２】
第１の実施形態の構成では、電気絶縁油量の増加具合でベローズ１５が伸びる方向（側面に垂直な方向）に伸縮に応じたスペースを用意しておく必要があるが、第２の実施形態では、ベローズ１５は側面に平行な方向に伸縮するため、タンク８の側面の横に必要なスペースは、伸縮前後で変化しないというメリットがある。よって、第２の実施形態では、第１の実施形態よりも省スペースな高電圧発生装置が提供できる。
【００５３】
なお、タンク８の構造は、第１の実施形態と同様であるので説明を省略する。
【００５４】
第２の実施の形態の装置構造では、第１の実施形態と比較してヒートシンク１４の放熱面積が小さくなるため、ベローズ１５の材質を放熱性のよい金属にして、ベローズ１５からも積極的に放熱させ、放熱効率を向上させることが望ましい。
【００５５】
また、本実施形態においても、図７のように、マイクロスイッチ１６をタンク８側面の所定位置に固定することにより、ヒートシンク１４によりマイクロスイッチ１６を押し上げ、電気絶縁油の温度を検出することができる。
【００５６】
図７には図示していないが、容器２０上にベローズ１５の伸縮方向に沿ってガイドを設けることももちろん可能である。
【００５７】
（第３の実施形態）
本発明の第３の実施形態の高電圧発生装置の斜視図を図８に示す。
【００５８】
この高電圧発生装置は、小型の複数の円筒状ベローズ２１を配列して、タンク８の側面に固定している。小型の円筒状ベローズ２１の内部に電気絶縁油が入り込み、それぞれの円筒状ベローズ２１が伸縮することで電気絶縁油の膨張を吸収することができ、タンク８に圧力がかかるのを防止する。
【００５９】
複数の円筒状ベローズ２１は、放熱性の高い金属により構成されていることが望ましい。複数の円筒状ベローズ２１は、電気絶縁油の温度が低ければ縮んだ状態であるが、温度が高くなれば伸長し表面積が広がるため、電気絶縁油の熱を効率よく放熱することができる。すなわち、円筒状ベローズ２１は、ヒートシンクを兼用している。
【００６０】
図８の構成では、円筒状ベローズ２１の最長長さが決まれば、側面に垂直な方向には、それ以上のスペースを確保する必要がない。
【００６１】
なお、円筒状ベローズ２１の表面積が冷却効率に依存するため、図８で示している形状に限らず、伸縮構造を保ちつつ形状を複雑化するか、もしくは円筒状ベローズ２１の数を増やすことにより、冷却効率をさらに向上させることも可能である。
【００６２】
（第４の実施形態）
第４の実施形態として、本発明の高電圧発生装置を搭載したＸ線ＣＴ装置の例について説明する。
【００６３】
図９は、Ｘ線ＣＴ装置の被検体の周囲を回転する回転円盤９１の正面図であり、図１０は、回転円盤９１の斜視図である。回転円盤９１には、Ｘ線管７と、高電圧発生装置１と、Ｘ線検出器９２が少なくとも搭載されている。回転円盤９１を被検体の周りで回転させながら、高電圧発生装置１からＸ線管７に管電圧を供給すると、Ｘ線管７から被検体にＸ線が放射される。被検体を透過したＸ線をＸ線検出器９２で検出することにより、被検体の断層像を撮影することができる。
【００６４】
高電圧発生装置１は、図１１にその斜視図を示すように、第２の実施形態の図７の装置に、ベローズ１５の伸縮をガイドするためのガイド１８を備えた構成である。高電圧発生装置１には、回転円盤９１が高速で回転することにより、遠心力（回転加速度）が加わる。そのため、本実施形態では、図９〜図１１のように、ベローズ１５の伸長方向が遠心力と直交し、かつ、ヒートシンク１４のフィン１４ｂの主平面が回転円盤９１の接線方向に沿うように高電圧発生装置１を回転円盤９１に搭載している。
【００６５】
これにより、ベローズ１５の伸長は遠心力や回転開始および停止時の加速度で妨げられない。しかも、回転円盤９１の回転に伴いフィン１４ｂの間を空気が通り抜けるため、フィン１４ｂを効率よく冷却することができ、電気絶縁油の冷却効率を高めることができる。
【００６６】
また、ガイド１８がベローズ１５の傾斜を防止するため、ベローズ１５を電気絶縁油の膨張に応じてタンク８の側面と平行に伸縮させることができる。
【００６７】
マイクロスイッチ１６の出力により、許容最大温度に電気絶縁油が達したことをベローズ１５の容積で検出することができるため、第２の実施形態と同様に波尾遮断回路を停止させることができる。
【００６８】
なお、Ｘ線ＣＴ装置に搭載可能な高電圧発生装置は、第２の実施形態の装置に限られるものではなく、第１及び第３の実施形態の高電圧発生装置を搭載することも可能である。この場合も、ベローズ１５の伸長方向が遠心力と直交することが望ましい。ヒートシンク１４のフィン１４ｂの主平面が回転円盤９１の接線方向に沿うように回転円盤９１に搭載することが望ましい。回転円盤９１の回転開始・停止時の加速度の方向が、ベローズ１５の伸長方向と直交していればさらに望ましい。
【００６９】
本発明において、フィン１４ｂの形状やベローズ１５の形状、および、ベローズ１５の取り付け位置は、上述してきた各実施形態に示した形状および位置に限定されるものではない。放熱効率を考慮した形状および位置に変更することが可能である。
【符号の説明】
【００７０】
１：高電圧発生装置、２：高電圧変圧器回路、３：加熱変圧器、４ａ，４ｂ：高電圧整流回路、５ａ，５ｂ：高電圧放電回路、６ａ，６ｂ高電圧スイッチ回路、７：X線管、８：高電圧タンク、９ａ，９ｂ：接続端子、１０：固定具、１１：絶縁距離、１２：スペース、１３：接続線、１４ａ：底面板，１４ｂ：フィン、１４：ヒートシンク、１５：ベローズ、１６：マイクロスイッチ、１７：突起、１８：ガイド、１９：通油口（開口）、２０：容器、２１：円筒状ベローズ、５０：波尾遮断回路、５１：平滑化コンデンサ、９１：回転円盤、９２：Ｘ線検出器、１００：電源装置、１１０：直流電源、１２０：インバータ回路、１６０：制御部、３００：コンソールの制御回路
【図１】
0005751840.tif 000002
【図２】
0005751840.tif 000003
【図３】
0005751840.tif 000004
【図４】
0005751840.tif 000005
【図５】
0005751840.tif 000006
【図６】
0005751840.tif 000007
【図７】
0005751840.tif 000008
【図８】
0005751840.tif 000009
【図９】
0005751840.tif 000010
【図１０】
0005751840.tif 000011
【図１１】
0005751840.tif 000012